(57)【要約】【課題】  時刻補正用に用意された特別な信号を生成することなく、親装置から子装置に時刻補正タイミングを通知すること。【解決手段】  互いに通信可能に構成される基地局装置２０と移動局装置３０とを含む通信システムにおいて、基地局装置２０は、移動局装置３０に対して時刻補正タイミングを通知するにあたり、該移動局装置３０に対し送信されるべき通信信号に、所定の変換処理を行い、当該変換処理後の通信信号を送信することで、前記時刻補正タイミングを通知し、移動局装置３０は、基地局装置２０からの通信信号が前記所定の変換処理が行われた通信信号である場合に、所定の時刻補正処理を行う、ことを特徴とする。【選択図】      図４
2006157527.tif 000002
【特許請求の範囲】
【請求項１】
互いに通信可能に構成される第１装置と第２装置とを含む通信システムにおいて、
前記第１装置は、前記第２装置に対して時刻補正タイミングを通知するにあたり、該第２装置に対し送信されるべき通信信号に、所定の変換処理を行い、当該変換処理後の通信信号を送信することで、前記時刻補正タイミングを通知し、
前記第２装置は、受信した前記第１装置からの通信信号が前記所定の変換処理が行われた通信信号である場合に、当該第２装置の内蔵時計に対して所定の時刻補正処理を行う、
ことを特徴とする通信システム。
【請求項２】
請求項１に記載の通信システムにおいて、
前記第２装置は、受信した前記第１装置からの通信信号に対し、前記所定の変換処理の逆変換処理を行い、当該逆変換処理が施された通信信号に基づいて、前記第１装置からの通信信号が前記所定の変換処理が行われた通信信号であるか否かを判断する、
ことを特徴とする通信システム。
【請求項３】
請求項２に記載の通信システムにおいて、
前記第２装置に対し送信されるべき通信信号には、誤り検出符号が付加され、
前記第２装置は、前記誤り検出符号により、受信した前記第１装置からの通信信号の誤り検出を行い、誤りが検出される場合に、前記逆変換処理が施された通信信号に基づいて、前記第１装置からの通信信号が前記所定の変換処理が行われた通信信号であるか否かを判断する、
ことを特徴とする通信システム。
【請求項４】
請求項１乃至３のいずれかに記載の通信システムにおいて、
前記第２装置は、
当該第２装置の内蔵時計に基づいて、前記時刻補正タイミングの前後所定時間内であるか否かを判断し、
前記時刻補正タイミングの前後所定時間内であると判断される場合には全ての前記受信される通信信号について前記所定の変換処理が行われているか否かを判断し、前記時刻補正タイミングの前後所定時間内でないと判断される場合には全ての前記受信される通信信号については前記所定の変換処理が行われているか否かを判断しない、
ことを特徴とする通信システム。
【請求項５】
請求項１乃至４のいずれかに記載の通信システムにおいて、
前記第１装置と前記第２装置との間の通信は、制御チャネルと通信チャネルとを分離して行われ、
前記第１装置は、前記第２装置に対して時刻補正タイミングを通知するにあたり、該第２装置に対し前記制御チャネルを使用して送信されるべき通信信号に、所定の変換処理を行い、当該変換処理後の通信信号を送信することで、前記時刻補正タイミングを通知する、
ことを特徴とする通信システム。
【請求項６】
請求項５に記載の通信システムにおいて、
前記通信システムは複数の第２装置を含み、
前記第１装置は、前記第２装置に対して時刻補正タイミングを通知するにあたり、該第２装置に対し前記制御チャネルを使用して送信されるべき通信信号のうち、前記複数の第２装置に対し一斉に報知される報知信号に所定の変換処理を行い、当該変換処理後の通信信号を送信することで、前記時刻補正タイミングを前記複数の第２装置に一斉に通知する、
ことを特徴とする通信システム。
【請求項７】
互いに通信可能に構成される第１装置と第２装置とを含む通信システムにおいて、
前記第１装置は、前記第２装置に対して時刻補正タイミングを通知するにあたり、該時刻補正タイミングに応じて、複数種類の所定の変換処理のうちの少なくとも１つの変換処理を選択し、該第２装置に対し送信されるべき通信信号に、選択された前記所定の変換処理を行い、当該変換処理後の通信信号を送信することで、前記時刻補正タイミングを通知し、
前記第２装置は、
前記複数種類の所定の変換処理をそれぞれ示す変換処理特定情報の少なくとも一部にそれぞれ対応付けて所定時刻を示す所定時刻情報を記憶し、
前記第１装置からの通信信号が前記複数種類の所定の変換処理のうち、いずれの変換処理により変換処理が行われた通信信号であるかを取得し、取得された変換処理を示す変換処理特定情報に対応付けて記憶される前記所定時刻情報により示される所定時刻に合うよう、当該第２装置の内蔵時計に対して所定の時刻補正処理を行う、
ことを特徴とする通信システム。
【請求項８】
請求項７に記載の通信システムにおいて、
前記第２装置は、
前記複数種類の所定の変換処理をそれぞれ示す変換処理特定情報の少なくとも一部にそれぞれ対応付けて所定時刻から所定時間ずれた時刻を示すずれ時刻情報を記憶し、
受信した前記第１装置からの通信信号が前記複数種類の所定の変換処理のうち、いずれの変換処理により変換処理が行われた通信信号であるかを取得し、取得された変換処理を示す変換処理特定情報に対応付けて記憶される前記ずれ時刻情報により示される前記所定時刻から所定時間ずれた時刻に合うよう、当該第２装置の内蔵時計に対して前記所定の時刻補正処理を行う、
ことを特徴とする通信システム。
【請求項９】
他の通信装置に対して時刻補正タイミングを通知するにあたり、該他の通信装置に対し送信されるべき通信信号に、所定の変換処理を行い、当該変換処理後の通信信号を送信することで、前記時刻補正タイミングを通知することを特徴とする通信装置。
【請求項１０】
受信した他の通信装置からの通信信号が所定の変換処理が行われた通信信号である場合に、自身の内蔵時計に対して所定の時刻補正処理を行うことを特徴とする通信装置。
【請求項１１】
他の通信装置に対して時刻補正タイミングを通知するにあたり、該時刻補正タイミングに応じて、複数種類の所定の変換処理のうちの少なくとも１つの変換処理を選択し、該他の通信装置に対し送信されるべき通信信号に、選択された前記所定の変換処理を行い、当該変換処理後の通信信号を送信することで、前記時刻補正タイミングを通知することを特徴とする通信装置。
【請求項１２】
複数種類の所定の変換処理をそれぞれ示す変換処理特定情報の少なくとも一部にそれぞれ対応付けて所定時刻を示す所定時刻情報を記憶し、
受信した他の通信装置からの通信信号が前記複数種類の所定の変換処理のうち、いずれの変換処理により変換処理が行われた通信信号であるかを取得し、取得された変換処理を示す変換処理特定情報に対応付けて記憶される前記所定時刻情報により示される所定時刻に合うよう、自身の内蔵時計に対して所定の時刻補正処理を行うことを特徴とする通信装置。
【請求項１３】
互いに通信可能に構成される第１装置と第２装置とを含む通信システムにおいて、該第１装置から該第２装置に対し時刻補正タイミングを通知する時刻補正タイミング通知方法であって、
前記第１装置において、前記第２装置に対して時刻補正タイミングを通知するにあたり、該第２装置に対し送信されるべき通信信号に、所定の変換処理を行い、当該変換処理後の通信信号を送信することで、前記時刻補正タイミングを通知する時刻補正タイミング通知ステップと、
前記第２装置において、受信した前記第１装置からの通信信号が前記所定の変換処理が行われた通信信号であるか否かを判断する判断ステップと、
前記第２装置において、受信した前記第１装置からの通信信号が前記所定の変換処理が行われた通信信号であると判断される場合に、当該第２装置の内蔵時計に対して所定の時刻補正処理を行う時刻補正ステップと、
を含むことを特徴とする時刻補正タイミング通知方法。
【発明の詳細な説明】
【技術分野】
【０００１】
本発明は通信システム、通信装置及び時刻補正タイミング通知方法に関する。
【背景技術】
【０００２】
コンピュータの時刻補正を行う技術には様々な技術があり、特許文献１には、時刻補正のために用意されたマーク信号をコンピュータに対して送信することにより親装置（第１装置）から子装置（第２装置）に時刻補正通知タイミングを通知する技術が記載されている。特許文献１に記載の技術では、親装置は、時刻補正タイミング以外ではマーク信号にスクランブルをかけ、時刻補正タイミングではマーク信号にスクランブルをかけない。このようにすることにより、マーク信号のスクランブルの有無により子装置が時刻補正タイミングを取得できるようにしている。
【特許文献１】特開平３−１２８５９５号公報
【発明の開示】
【発明が解決しようとする課題】
【０００３】
上記従来の技術では、親装置は、時刻補正タイミング通知信号としてのマーク信号を送信する必要がある。しかしながらこのようにすると、マーク信号を生成し、該生成されたマーク信号にスクランブルをかけ、スクランブルをかけられた信号を送信する必要があり、処理が多くなっていた。
【０００４】
本発明は、上記課題を解決するためになされたもので、その目的の一つは、時刻補正用に用意された特別な信号を生成することなく、第１装置から第２装置に時刻補正タイミングを通知することを可能にする通信システム、通信装置及び時刻補正タイミング通知方法を提供することにある。
【課題を解決するための手段】
【０００５】
上記課題を解決するための本発明に係る通信システムは、互いに通信可能に構成される第１装置と第２装置とを含む通信システムにおいて、前記第１装置は、前記第２装置に対して時刻補正タイミングを通知するにあたり、該第２装置に対し送信されるべき通信信号に、所定の変換処理を行い、当該変換処理後の通信信号を送信することで、前記時刻補正タイミングを通知し、前記第２装置は、受信した前記第１装置からの通信信号が前記所定の変換処理が行われた通信信号である場合に、当該第２装置の内蔵時計に対して所定の時刻補正処理を行う、ことを特徴とする。
【０００６】
このようにすることにより、送信されるべき通信信号に所定の変換処理を行うので、時刻補正用に用意された特別な信号を生成することなく、親装置から子装置に時刻補正タイミングを通知することが可能になる。
【０００７】
また、上記通信システムにおいて、前記第２装置は、受信した前記第１装置からの通信信号に対し、前記所定の変換処理の逆変換処理を行い、当該逆変換処理が施された通信信号に基づいて、前記第１装置からの通信信号が前記所定の変換処理が行われた通信信号であるか否かを判断する、こととしてもよい。このようにすれば、逆変換処理を行うことによって、第２装置は第１装置からの通信信号が前記所定の変換処理が行われた通信信号であるか否かを判断することができる。
【０００８】
また、上記通信システムにおいて、前記第２装置に対し送信されるべき通信信号には、誤り検出符号が付加され、前記第２装置は、前記誤り検出符号により、受信した前記第１装置からの通信信号の誤り検出を行い、誤りが検出される場合に、前記逆変換処理が施された通信信号に基づいて、前記第１装置からの通信信号が前記所定の変換処理が行われた通信信号であるか否かを判断する、こととしてもよい。このようにすれば、誤り検出符号を利用することにより、第１装置から受信される通信信号が前記所定の変換処理が行われた通信信号であるか否かを判断することができる。
【０００９】
また、上記通信システムにおいて、前記第２装置は、当該第２装置の内蔵時計に基づいて、前記時刻補正タイミングの前後所定時間内であるか否かを判断し、前記時刻補正タイミングの前後所定時間内であると判断される場合には全ての前記受信される通信信号について前記所定の変換処理が行われているか否かを判断し、前記時刻補正タイミングの前後所定時間内でないと判断される場合には全ての前記受信される通信信号については前記所定の変換処理が行われているか否かを判断しない、こととしてもよい。このようにすれば、第２装置の内蔵時計に基づいて時刻補正タイミング通知の有無を制限できるので、第２装置における処理を効率化することができる。
【００１０】
また、上記通信システムにおいて、前記第１装置と前記第２装置との間の通信は、制御チャネルと通信チャネルとを分離して行われ、前記第１装置は、前記第２装置に対して時刻補正タイミングを通知するにあたり、該第２装置に対し前記制御チャネルを使用して送信されるべき通信信号に、所定の変換処理を行い、当該変換処理後の通信信号を送信することで、前記時刻補正タイミングを通知する、こととしてもよい。
【００１１】
また、上記通信システムにおいて、前記通信システムは複数の第２装置を含み、前記第１装置は、前記第２装置に対して時刻補正タイミングを通知するにあたり、該第２装置に対し前記制御チャネルを使用して送信されるべき通信信号のうち、前記複数の第２装置に対し一斉に報知される報知信号に所定の変換処理を行い、当該変換処理後の通信信号を送信することで、前記時刻補正タイミングを前記複数の第２装置に一斉に通知する、こととしてもよい。このようにすれば、複数の第２装置に対し、一斉に時刻補正タイミングを通知することができる。
【００１２】
また、上記課題を解決するための本発明の別の一態様に係る通信システムは、互いに通信可能に構成される第１装置と第２装置とを含む通信システムにおいて、前記第１装置は、前記第２装置に対して時刻補正タイミングを通知するにあたり、該時刻補正タイミングに応じて、複数種類の所定の変換処理のうちの少なくとも１つの変換処理を選択し、該第２装置に対し送信されるべき通信信号に、選択された前記所定の変換処理を行い、当該変換処理後の通信信号を送信することで、前記時刻補正タイミングを通知し、前記第２装置は、前記複数種類の所定の変換処理をそれぞれ示す変換処理特定情報の少なくとも一部にそれぞれ対応付けて所定時刻を示す所定時刻情報を記憶し、前記第１装置からの通信信号が前記複数種類の所定の変換処理のうち、いずれの変換処理により変換処理が行われた通信信号であるかを取得し、取得された変換処理を示す変換処理特定情報に対応付けて記憶される前記所定時刻情報により示される所定時刻に合うよう、当該第２装置の内蔵時計に対して所定の時刻補正処理を行う、ことを特徴とする。このようにすれば、複数の所定時刻について、それぞれ時刻補正タイミングを通知することができる。
【００１３】
また、上記通信システムにおいて、前記第２装置は、前記複数種類の所定の変換処理をそれぞれ示す変換処理特定情報の少なくとも一部にそれぞれ対応付けて所定時刻から所定時間ずれた時刻を示すずれ時刻情報を記憶し、受信した前記第１装置からの通信信号が前記複数種類の所定の変換処理のうち、いずれの変換処理により変換処理が行われた通信信号であるかを取得し、取得された変換処理を示す変換処理特定情報に対応付けて記憶される前記ずれ時刻情報により示される前記所定時刻から所定時間ずれた時刻に合うよう、当該第２装置の内蔵時計に対して前記所定の時刻補正処理を行う、こととしてもよい。このようにすれば、複数の所定時刻について、所定時刻に時刻補正タイミングを通知できなかった場合にも、該所定時刻を通知することができるようになる。
【００１４】
また、本発明に係る通信装置は、他の通信装置に対して時刻補正タイミングを通知するにあたり、該他の通信装置に対し送信されるべき通信信号に、所定の変換処理を行い、当該変換処理後の通信信号を送信することで、前記時刻補正タイミングを通知することを特徴とする。
【００１５】
また、本発明の別の一態様に係る通信装置は、受信した他の通信装置からの通信信号が所定の変換処理が行われた通信信号である場合に、自身の内蔵時計に対して所定の時刻補正処理を行うことを特徴とする。
【００１６】
また、本発明のさらに別の一態様に係る通信装置は、他の通信装置に対して時刻補正タイミングを通知するにあたり、該時刻補正タイミングに応じて、複数種類の所定の変換処理のうちの少なくとも１つの変換処理を選択し、該他の通信装置に対し送信されるべき通信信号に、選択された前記所定の変換処理を行い、当該変換処理後の通信信号を送信することで、前記時刻補正タイミングを通知することを特徴とする。
【００１７】
また、本発明のさらに別の一態様に係る通信装置は、複数種類の所定の変換処理をそれぞれ示す変換処理特定情報の少なくとも一部にそれぞれ対応付けて所定時刻を示す所定時刻情報を記憶し、受信した他の通信装置からの通信信号が前記複数種類の所定の変換処理のうち、いずれの変換処理により変換処理が行われた通信信号であるかを取得し、取得された変換処理を示す変換処理特定情報に対応付けて記憶される前記所定時刻情報により示される所定時刻に合うよう、自身の内蔵時計に対して所定の時刻補正処理を行うことを特徴とする。
【００１８】
また、本発明に係る時刻補正タイミング通知方法は、互いに通信可能に構成される第１装置と第２装置とを含む通信システムにおいて、該第１装置から該第２装置に対し時刻補正タイミングを通知する時刻補正タイミング通知方法であって、前記第１装置において、前記第２装置に対して時刻補正タイミングを通知するにあたり、該第２装置に対し送信されるべき通信信号に、所定の変換処理を行い、当該変換処理後の通信信号を送信することで、前記時刻補正タイミングを通知する時刻補正タイミング通知ステップと、前記第２装置において、受信した前記第１装置からの通信信号が前記所定の変換処理が行われた通信信号であるか否かを判断する判断ステップと、前記第２装置において、受信した前記第１装置からの通信信号が前記所定の変換処理が行われた通信信号であると判断される場合に、当該第２装置の内蔵時計に対して所定の時刻補正処理を行う時刻補正ステップと、を含むことを特徴とする。
【発明を実施するための最良の形態】
【００１９】
本発明の実施の形態について、図面を参照しながら説明する。
【００２０】
［実施形態１］
図１は、本発明の実施形態１に係る移動体通信システム１０の構成図である。同図に示すように、本実施形態１に係る移動体通信システム１０は基地局装置（第１装置）２０、移動局装置（第２装置）３０、通信ネットワーク４０を含んで構成されている。
【００２１】
基地局装置２０は、図２に示すように、制御部２１と、記憶部２２と、ネットワークインターフェイス部２３と、無線通信部２４と、時計２５と、を含んで構成されている。制御部２１は、基地局装置２０の各部を制御し、通話やデータ通信に関わる処理を実行している。記憶部２２は、制御部２１のワークメモリとして動作する。また、この記憶部２２は、制御部２１によって行われる各種処理に関わるプログラムやパラメータを保持している。
【００２２】
さらに記憶部２２は、パターン番号と、それぞれ異なる１０桁のビット列である複数のスクランブルパターンと、該スクランブルパターンが時刻補正タイミング通知用スクランブルパターンであるか否かを示す時刻補正タイミング通知用フラグと、各時刻補正タイミング通知用スクランブルパターンについてそれぞれ異なる所定時刻情報と、を対応付けて記憶する。
【００２３】
ネットワークインターフェイス部２３は、通信ネットワーク４０と接続されており、通信ネットワーク４０からの音声信号や通信用パケット等を受信して制御部２１に出力したり、制御部２１の指示に従って音声信号や通信用パケット等を通信ネットワーク４０に対して送信したりする。無線通信部２４は、空中線を備え、移動局装置３０からの音声信号や通信用パケット等をそれぞれ受信して復調し、制御部２１に出力したり、制御部２１から入力される指示に従って、制御部２１から入力される音声信号や通信用パケット等を変調して空中線を介して出力したり、といった処理を行う。また、時計２５は基地局装置２０の内蔵時計であり、制御部２１は時計２５を参照して例えば同期処理や後述の時刻補正タイミング通知処理を行う。さらに、制御部２１が時計２５を制御することにより、時計２５の時刻合わせも行う。
【００２４】
移動局装置３０は、図３に示すように、制御部３１と、記憶部３２と、無線通信部３３と、入出力部３４と、時計３５と、と含んで構成されている。制御部３１は、移動局装置３０の各部を制御し、通話やデータ通信に関わる処理を実行している。記憶部３２は、制御部３１のワークメモリとして動作する。また、この記憶部３２は、制御部３１によって行われる各種処理に関わるプログラムやパラメータを保持している。
【００２５】
さらに記憶部３２は、パターン番号と、それぞれ異なる１０桁のビット列である複数のデスクランブルパターンと、該デスクランブルパターンが時刻補正タイミング通知用デスクランブルパターンであるか否かを示す時刻補正タイミング通知用フラグと、各時刻補正タイミング通知用スクランブルパターンについてそれぞれ異なる所定時刻情報と、を対応付けて記憶する。その記憶内容は記憶部２２に記憶されるものと同一にしておく。ただし、記憶部２２に記憶されるスクランブルパターンについては、同じものをデスクランブルパターンとして記憶する。
【００２６】
無線通信部３３は、空中線を備え、制御部３１から入力される指示に従って、音声信号や通信用パケット等を変調して空中線を介して出力したり、空中線に到来する音声信号や通信用パケット等を受信して復調し、制御部３１に出力したり、といった処理を行う。入出力部３４は、例えばテンキー等のダイヤルボタンやマイクなどの入力手段と、スピーカ、液晶表示装置、発光ダイオードなどの出力手段と、を含んで構成される。入力手段においては、利用者による押しボタンの押下を受けて、押下されたボタンを示す押下信号を制御部３１に出力したり、マイクから入力される音声を音声信号として制御部３１に出力したりしている。出力手段においては、制御部３１から入力される信号を、それぞれの出力方法により出力する。また、制御部３１が後述する時刻補正処理の結果をユーザに通知する場合には、該通知を指示する入力信号を受け、それぞれの出力方法により出力する。また、時計３５は移動局装置３０の内蔵時計であり、制御部３１は時計３５を参照して例えば同期処理を行う。さらに、制御部３１が時計３５を制御することにより、後述の時刻補正タイミング通知処理において時計３５の時刻合わせも行う。
【００２７】
基地局装置２０と移動局装置３０との間には、通常複数の通信チャネルと、少なくとも１つの制御チャネルと、が設定される。通信チャネルは音声やデータなどの通信を行うために送受信されるべきユーザデータを送受信するためのチャネルであり、実体としてはタイムスロット（時分割多重の場合）、周波数チャネル（周波数分割多重の場合）、ＰＮ符号（符号分割多重の場合）などに割り当てられるチャネルである。回線交換通信においては、通信チャネルは制御部２１によって１つの移動局装置３０に対して１つ割り当てられる。このため、１つの移動局装置３０によって通信チャネルが占有された状態で通信が行われる。一方パケット通信においては、通信チャネルは制御部２１によって複数の移動局装置３０に対して１つ割り当てられる。このため、複数の移動局装置３０が複数の通信チャネルを共有した状態で通信が行われる。
【００２８】
一方、制御チャネルは発呼、着呼、位置登録などの通信制御のために送受信されるべき制御信号を送受信するためのチャネルであり、実体としては通信チャネル同様、タイムスロット（時分割多重の場合）、周波数チャネル（周波数分割多重の場合）、ＰＮ符号（符号分割多重の場合）などに割り当てられるチャネルである。制御チャネルは、基地局装置２０に在圏する（基地局装置２０と通信可能な範囲内にある）１又は複数の移動局装置３０で共有される。
【００２９】
このように、１つの通信（基地局装置２０と移動局装置３０の間で行われる通信）は、制御チャネルにおいて送受信されるべき通信信号である制御信号と、通信チャネルにおいて送受信されるべき通信信号であるユーザデータ信号と、を送受信することにより行われる。そして、各信号を各チャネルで送受信することにより、通信が行われる。また、制御チャネルで基地局装置２０から送信される制御信号のうち、全ての移動局装置３０に向けて送信される一方方向の制御信号は報知信号と呼ばれ、基地局装置２０から全ての移動局装置３０に対して一律に送信すべき情報を送信するために使用される。
【００３０】
ここでまず、このような基地局装置２０において行われる時刻補正タイミング通知処理及び移動局装置３０において行われる時刻補正処理の概要について説明する。
【００３１】
まず基地局装置２０は、記憶部２２に時刻補正タイミングを記憶する。時刻補正タイミングは、例えば毎分０秒、毎時０分０秒、毎日０時０分０秒などのように、所定時刻を示す所定時刻情報を記憶しておくことにより、記憶される。所定時刻情報は複数記憶されていてもよい。
【００３２】
基地局装置２０の制御部２１は、時計２５により示される時刻を監視し、記憶部２２に記憶される所定時刻情報により示される所定時刻が到来した場合には、制御チャネルにおいて送受信される制御信号である通信信号に所定の変換を施して移動局装置３０に対して送信することにより、時刻補正タイミング通知処理を行う。より詳細には、例えば所定時刻の所定時間前が到来した場合に時刻補正タイミング通知処理を行うこととしてもよい。このようにすれば、時刻補正処理に係る時間を考慮して時刻補正タイミング通知処理を行うことができる。時刻補正タイミング通知処理において通知される所定の変換を施された通信信号の具体的内容については後述する。一方、所定の変換を施された通信信号を受信した移動局装置３０の制御部３１は、該所定の変換を施された通信信号を受信したタイミングで時計３５の時刻補正処理を行う。
【００３３】
図４は、以上説明した処理をより分かり易く説明するための説明図である。同図においては、時刻補正タイミングとして所定時刻０分０秒を示す所定時刻情報が記憶される。このため、制御部２１は、時計２５により示される時刻を監視し、毎時０分０秒が到来した場合には、所定の変換を施された通信信号を移動局装置３０に対して送信する。そして、所定の変換を施された通信信号を受信した移動局装置３０は、該所定の変換を施された通信信号を受信したタイミングで時計３５の示す時刻が０分０秒となるよう、時刻補正処理を行う。より具体的には、分数値と秒数値を０にリセットして変更することにより、時刻補正処理を行う。同図では、補正前に００分０１秒となっていたが、補正により００分００秒に変更されている。
【００３４】
以上のようにして基地局装置２０から時刻補正タイミングを通知することにより、移動局装置３０は時計３５の時刻補正を行うことができる。
【００３５】
次に、時刻補正タイミング通知処理において送信される所定の変換を施された通信信号（補正信号）について説明する。本実施の形態では、時刻補正のタイミング通知のために新たな信号を生成して送信する処理は行なわず、元々基地局装置２０から移動局装置３０に対して送信されるべき信号（上述の通信信号）を補正信号に変換して利用することにより、補正信号を送信する。
【００３６】
以下、基地局装置２０から移動局装置３０に対して送信されるべき信号を補正信号に変換して利用するための信号変換処理について説明する。以下の説明では、基地局装置２０から移動局装置３０に対して送信されるべき報知信号を補正信号に変換するものとして説明する。報知信号を用いれば、複数の移動局装置３０に対し一斉に時刻補正タイミングを通知することができる。
【００３７】
本実施の形態においては、信号変換処理として、通信秘匿のために通常から行われているスクランブル処理を利用する。ここで、報知信号は、図５に示すようなスロット構成の信号である。同図に示すように、報知信号１００のスロットは、大きく分けて制御部１０１、情報部１０２、ＣＲＣ１０３に分けられる。制御部１０１は、報知信号１００を受信した移動局装置３０において報知信号１００が報知信号であることを確認するための信号であり、スクランブルされずに送信される。一方情報部１０２は具体的な制御の内容（発呼、着呼、位置登録など）を示す情報であり、通信秘匿のためにスクランブルされて送信される。また、ＣＲＣ１０３は情報部１０２に基づいて生成された誤り訂正符号であり、情報部１０２とともにスクランブルされて送信される。
【００３８】
ここで、スクランブル処理の原理について説明する。
【００３９】
スクランブル処理ではまず、１０桁のビット列であるスクランブルパターンを取得する。そして取得されるスクランブルパターンに基づいて、ＰＮ（Pseudo Noise，疑似雑音）パターンを生成する。具体的には、図６に示す疑似ランダムパターン発生回路を備えることが好適である。この疑似ランダムパターン発生回路には１０個のレジスタ（Ｓ０乃至Ｓ９）からなるシフトレジスタを備え、該シフトレジスタは図示しないクロックパルスに同期して左側のレジスタから右側のレジスタにデータを出力することにより、各レジスタに記憶されるデータを受け渡していく。また、Ｓ０の出力とＳ７の出力の排他的論理和を演算するＥＸＯＲ回路５０を備え、Ｓ０の出力とＳ７の出力の排他的論理和を演算してＳ９に格納するようになっている。
【００４０】
そして、この疑似ランダムパターン発生回路の各レジスタの初期値（レジスタ初期値）として、取得されるスクランブルパターンを使用する。このようにすることにより、クロックパルスに同期して、スクランブルパターンに応じたＰＮパターンがＳ０から出力されることとなる。このようにして出力されたＰＮパターンを使用して、送信データにスクランブルをかける方法について、図７（ａ）に示す処理フロー図を参照しながら説明する。
【００４１】
図７（ａ）は、送信データ（ここでは制御信号）にスクランブルをかける処理のフロー図である。まず、スクランブルパターンを取得する（Ｓ２００）。そして、取得されるスクランブルパターンをレジスタ初期値として疑似ランダムパターン発生回路のシフトレジスタに設定する（Ｓ２０２）。そして、クロックパルスに合わせてＰＮパターンを出力する（Ｓ２０４）。そして、出力されたＰＮパターンと、送信データとの排他的論理和を１ビットずつ演算する（Ｓ２０６）。このようにして、１ビットずつＰＮパターンによって変換された送信データを取得することができる。
【００４２】
次に、スクランブル処理された信号を元に戻す方法はデスクランブル処理と呼ばれる。つまり、デスクランブル処理はスクランブル処理の逆変換処理である。デスクランブル処理においては、スクランブル処理に使用されたスクランブルパターンと同一であるデスクランブルパターンが必要である。スクランブル処理に使用されたスクランブルパターンと異なるデスクランブルパターンでもデスクランブル処理を行うことはできるが、行っても元の信号を得ることはできない。また、デスクランブル処理においても、図６に示す疑似ランダムパターン発生回路を備えることが好適である。スクランブル処理に使用されたスクランブルパターンと同一であるデスクランブルパターンを、疑似ランダムパターン発生回路の各レジスタの初期値（レジスタ初期値）として使用する。このようにすることにより、スクランブル処理において出力されたＰＮパターンと同じＰＮパターンを出力することができる。このようにして出力されたＰＮパターンを使用して、制御信号にデスクランブルをかける方法について、図７（ｂ）に示す処理フロー図を参照しながら説明する。
【００４３】
図７（ｂ）は、受信データ（ここでは制御信号）にデスクランブルをかける処理のフロー図である。まず、デスクランブルパターンを取得する（Ｓ３００）。そして、取得されるデスクランブルパターンをレジスタ初期値として疑似ランダムパターン発生回路のシフトレジスタに設定する（Ｓ３０２）。そして、クロックパルスに合わせてＰＮパターンを出力する（Ｓ３０４）。そして、出力されたＰＮパターンと、受信データとの排他的論理和を１ビットずつ演算する（Ｓ３０６）。このようにして、１ビットずつスクランブル処理される前の受信データを取得することができる。
【００４４】
以上説明したようなスクランブル処理を利用して、本実施形態では、基地局装置２０において制御信号の変換処理を行う。また、以上説明したようなデスクランブル処理を利用して、移動局装置３０において制御信号の逆変換処理を行う。以下では、該変換処理／逆変換処理を含む時刻補正タイミング通知処理、時刻補正処理について詳細に説明する。
【００４５】
まず、基地局装置２０の記憶部２２は、時刻補正タイミングである所定時刻情報に対応付けて、変換処理を特定するための変換処理特定情報となる時刻補正タイミング通知用スクランブルパターンを記憶する。時刻補正タイミング通知用スクランブルパターンは、記憶部２２に記憶されるスクランブルパターンから予め選択されているが、通信秘匿のために通常から行われているスクランブル処理で使用されないスクランブルパターンから選択されることが望ましい。
【００４６】
記憶部２２において記憶される情報（スクランブルパターン記憶テーブル）の具体例を図８に示す。同図に示すように、記憶部２２はパターン番号、スクランブルパターン、時刻補正タイミング通知用フラグ、時刻補正タイミングを対応付けて記憶している。時刻補正タイミング通知用フラグにおいて、「１」が記憶されているスクランブルパターンは、時刻補正タイミング通知用スクランブルパターンとして記憶されている。一方、時刻補正タイミング通知用フラグにおいて、「０」が記憶されているスクランブルパターンは、時刻補正タイミング通知用スクランブルパターンでないものとして記憶されている。そして、時刻補正タイミングとしては、同図に示すように所定時刻を示す所定時刻情報が記憶される。
【００４７】
次に制御部２１は、時計２５により示される時刻を監視する。そして記憶部２２に記憶される所定時刻情報により示される所定時刻が到来した場合には、記憶される時刻補正タイミング通知用スクランブルパターンのうち、到来した所定時刻を示す所定時刻情報に対応付けて記憶される時刻補正タイミング通知用スクランブルパターンを選択する。一方、別の制御信号送信処理にて、その時点で送信されるべき報知信号１００のうち、既に誤り訂正符号ＣＲＣ１０３を付加された報知信号１００を取得する。そして該報知信号１００のうち情報部１０２とＣＲＣ１０３に対して、選択した時刻補正タイミング通知用スクランブルパターンを使用して時刻補正タイミング通知用のスクランブル処理（時刻補正タイミング通知用スクランブル処理）を行う。このようにして、選択した時刻補正タイミング通知用スクランブルパターンに応じたスクランブル処理が施された制御信号（補正信号）を取得する。この後、通信秘匿のために通常から行われているスクランブル処理が取得される補正信号に施され、無線通信部２４を介して移動局装置３０に対して送信される。
【００４８】
移動局装置３０の記憶部３２は、時刻補正タイミングである所定時刻情報に対応付けて、時刻補正タイミング通知用デスクランブルパターンを記憶する。時刻補正タイミング通知用デスクランブルパターン及び該時刻補正タイミング通知用デスクランブルパターンと所定時刻情報との対応付けは、記憶部２２に記憶されるスクランブルパターン及び該時刻補正タイミング通知用スクランブルパターンと所定時刻情報との対応付けと同じものである必要がある。記憶部３２において記憶される情報（デスクランブルパターン記憶テーブル）の具体例は、図９に示すように、図８に示すスクランブルパターン記憶テーブルにおいて、スクランブルパターンの名称をデスクランブルパターンに変更したものとなる。
【００４９】
制御部３１は、無線通信部３３を介して報知信号１００を受信する。この報知信号１００は通信秘匿のための通常のスクランブル処理が施されているので、まずデスクランブル処理を施す。そして、ＣＲＣ１０３による誤り検出を行う。この誤り検出において、報知信号１００が補正信号でない場合であって、かつ通信路でエラーが発生しなかった場合には、誤りは検出されない。これに対し、報知信号１００が補正信号である場合又は通信路でエラーが発生した場合には、誤りが検出される。このようにＣＲＣ１０３による誤りが検出されない場合には、「報知信号１００が補正信号でない場合であって、かつ通信路でエラーが発生しなかった場合」であることを検出したこととなり、この場合に得られた信号はスクランブル処理される前の報知信号１００に他ならないので、通常の通信に係る処理を行う。
【００５０】
一方、ＣＲＣ１０３による誤りが検出された場合には、「報知信号１００が補正信号である場合又は通信路でエラーが発生した場合」を検出したこととなるので、制御部３１はさらに、時刻補正タイミング通知用デスクランブルパターンとして記憶するデスクランブルパターンのうち、いずれのデスクランブルパターンと同じスクランブルパターンでスクランブル処理されたものかを確認する。具体的には、記憶する全ての時刻補正タイミング通知用デスクランブルパターンによるデスクランブル処理を試してみて、このデスクランブル処理により得られる信号のＣＲＣ１０３による誤り検出を行い、誤りが検出されなかった場合には、誤りが検出されなかったデスクランブル処理において使用した時刻補正タイミング通知用デスクランブルパターンと同じスクランブルパターンによりスクランブル処理された補正信号であると判断する。一方、全ての時刻補正タイミング通知用デスクランブルパターンによるデスクランブル処理を試しても、誤りが検出されない信号が得られなかった場合には、通信路でエラーが発生したと判断し、信号を破棄する。
【００５１】
このようにして制御部３１は補正信号を取得し、取得した補正信号が時刻補正タイミング通知用スクランブル処理を施される際に使用された時刻補正タイミング通知用スクランブルパターンと同じ時刻補正タイミング通知用デスクランブルパターンを取得することができる。そして、取得した時刻補正タイミング通知用デスクランブルパターンに対応付けて記憶されている所定時刻情報を取得することができる。
【００５２】
所定時刻情報を取得すると、制御部３１は、取得した所定時刻情報に従って、時計３５の時刻補正を行う。すなわち、所定時刻情報により示される時刻に時計３５の時刻を合わせるリセット処理を行う。
【００５３】
以上の処理について、制御部２１及び制御部３１における処理を、それぞれの処理フロー図を参照しながらより詳細に説明する。
【００５４】
図１０は制御部２１における時刻補正タイミング通知処理の処理フロー図である。制御部２１は、まず報知信号を取得する（Ｓ１０００）。そして、取得した報知信号のＣＲＣを取得し、付加する（Ｓ１００２）。そして、記憶部２２に記憶される時刻補正タイミングの到来を監視することにより、時刻補正タイミングか否かを判断する（Ｓ１００４）。時刻補正タイミングが到来したと判断した場合には、該時刻補正タイミングと対応付けて記憶される時刻補正タイミング通知用スクランブルパターンを選択し（Ｓ１００６）、選択した時刻補正タイミング通知用スクランブルパターンを使用して時刻補正タイミング通知用スクランブル処理を取得した報知信号に施す（Ｓ１００８）。そして、時刻補正タイミング通知用スクランブル処理を施した報知信号（補正信号）をＳ１０１０の処理に送る。
【００５５】
一方、Ｓ１００４において時刻補正タイミングが到来していないと判断した場合には、取得した報知信号に時刻補正タイミング通知用スクランブル処理を施すことはせず、取得した報知信号をそのままＳ１０１０の処理に送る。
【００５６】
Ｓ１０１０の処理では、補正信号又は報知信号に通信秘匿のための通常のスクランブル処理を施す（Ｓ１０１０）。この際に使用されるスクランブルパターンは、時刻補正タイミング通知用スクランブルパターンとして記憶されているものではないスクランブルパターンを用いることが好適である。そして無線通信部２４において補正信号又は報知信号の変調処理（Ｓ１０１２）及び送信処理（Ｓ１０１４）を行わせる。
【００５７】
次に、図１１は移動局装置３０の制御部３１における時刻補正処理の処理フロー図である。制御部３１は、無線通信部３３に報知信号を受信させる（Ｓ２０００）。さらに、無線通信部３３に受信した報知信号の復調処理を行わせる。そして制御部３１は、復調された報知信号にデスクランブル処理を行う。このとき使用されるデスクランブルパターンは、通常予め決定され、事前に移動局装置３０に通知されている。そして、本来ならばＣＲＣ１０３が含められる部分による誤り検出を行う（Ｓ２００６）。誤りが検出されない場合には、報知信号は補正信号ではなかったと判断し、そのまま報知信号として取得し（Ｓ２０２２）、処理を終了する。
【００５８】
一方Ｓ２００６で誤りが検出された場合には、時刻補正タイミング通知用デスクランブルパターンとして記憶されるデスクランブルパターンのうちのひとつを選択し（Ｓ２００８）、時刻補正タイミング通知用デスクランブル処理を行う（Ｓ２０１０）。そして時刻補正タイミング通知用デスクランブル処理の結果得られる信号に、本来ならばＣＲＣ１０３が含められる部分による誤り検出を行う（Ｓ２０１２）。誤りが検出されない場合には、報知信号は補正信号であったと判断し、時刻補正タイミング通知用デスクランブル処理で使用した時刻補正タイミング通知用デスクランブルパターンに対応付けて記憶される時刻補正タイミングを取得する（Ｓ２０１８）。一方、誤りが検出された場合には、他に時刻補正タイミング通知用デスクランブルパターンが残っているか否か判断し（Ｓ２０１４）、残っていなければエラーと判断し信号を破棄して（Ｓ２０１６）、処理を終了する。残っていれば、さらに時刻補正タイミング通知用デスクランブルパターンとして記憶される他のデスクランブルパターンを選択し（Ｓ２００８）、以降の処理を繰り返す。
【００５９】
Ｓ２０１８で時刻補正タイミングを取得したら、取得した時刻補正タイミングにより示される所定時刻に時計３５を合わせることにより時刻補正を行う（Ｓ２０２１）。また、得られた信号はスクランブル処理される前の報知信号であるので、報知信号として取得する（Ｓ２０２２）。そして時刻補正処理を終了する。
【００６０】
以上のようにして、基地局装置２０は時刻補正タイミング通知処理を行い、移動局装置３０は基地局装置２０から送信された時刻補正タイミングに応じた時刻補正処理を行うことができる。そして、補正信号は制御信号などの送信されるべき信号に所定の変換処理を施すことにより生成しているので、時刻補正用に用意された特別な信号を生成することなく、親装置としての基地局装置２０から子装置としての移動局装置３０に時刻補正タイミングを通知することが可能となっている。また、上記処理によれば所定の変換処理の前と後で信号のサイズは変わらないので、時刻補正用のために無線帯域を消費することなく、時刻補正タイミングを通知することができる。
【００６１】
［実施形態２］
実施形態２では、実施形態１と同じ移動体通信システム１０を使用するが、記憶部２２及び記憶部３２において記憶される所定時刻情報の他に、所定時刻からのずれを示すずれ時刻情報が記憶される。つまり、一部の時刻補正タイミング通知用スクランブルパターン又は時刻補正タイミング通知用デスクランブルパターンについては所定時刻情報を記憶し、他の一部の時刻補正タイミング通知用スクランブルパターン又は時刻補正タイミング通知用デスクランブルパターンについてはずれ時刻情報を記憶する。
【００６２】
記憶部２２及び記憶部３２において記憶されるテーブルの具体例を図１２に示す。同図において、パターン番号６の行に示すように、時刻補正タイミングの一種として、ずれ時刻情報が記憶される。ここでは、「１秒ずれ」を示すずれ時刻情報が記憶されている。
【００６３】
以下、実施形態２における制御部２１の時刻補正タイミング通知処理について、制御部２１の処理フロー図を参照しながら説明する。図１３は、実施形態２における制御部２１の処理を示すフロー図である。同図に示すように、Ｓ１０００及びＳ１００２の処理は実施形態１と同様である。そして、Ｓ１００４では、記憶部２２により記憶される所定時刻情報により示される所定時刻であるか否かを判断する（Ｓ１００４）。そして、所定時刻であると判断した場合には、実施形態１と同様のＳ１００６及びＳ１００８の処理を行い、さらにＳ１００８で時刻補正タイミング通知用スクランブル処理を行ったことを示す履歴情報を、記憶部２２に記憶する（Ｓ１００９）。一方、所定時刻ではないと判断した場合には、所定時刻と、時計２５により示される現在時刻との差を取得し、その差が所定時間（記憶部２２において記憶される「『所定時刻』とのずれ」を示すずれ時刻情報により示されるずれ時間）以内か否かを判断する（Ｓ１０２０）。そして時刻補正タイミング通知用スクランブル処理を行ったことを示す履歴情報が記憶部２２に記憶されているか否かを判断する（Ｓ１０２２）。
【００６４】
なお、Ｓ１００９の処理において、履歴情報と、所定時刻を示す所定時刻情報と、を対応付けて記憶することとしてもよい。このようにすれば、Ｓ１０２２において、所定時刻と対応する履歴情報を取得することができるので、複数の履歴情報を記憶することができるようになる。また、Ｓ１００９の処理において履歴情報を記憶してから、所定時刻からずれ時刻情報により示されるずれの最大値が経過したら、記憶部２２から削除することとしてもよい。このようにすれば、例えば所定時刻とは離れた別の時刻において、Ｓ１０２２において、所定時刻において記憶された履歴情報を参照することが防止できる。
【００６５】
時刻補正タイミング通知用スクランブル処理を行ったことを示す履歴情報が記憶部２２に記憶されていると判断されなければ、所定時刻において時刻補正タイミング通知を行うことができなかったと判断する。すなわち、報知信号は間欠的に送信されるものであり、報知信号を取得してから所定時刻か否かの判断をしているため、所定時刻ちょうどに判断のタイミングがないという可能性がある。このような場合においても、所定時間内の差であれば、時刻補正タイミングが通知できるようにしている。
【００６６】
具体的には、所定時刻とのずれと対応付けて記憶される時刻補正タイミング通知用スクランブルパターンを記憶部２２から選択する（Ｓ１０２４）。そして、選択した時刻補正タイミング通知用スクランブルパターンを使用して時刻補正タイミング通知用スクランブル処理を行う（Ｓ１０２６）。時刻補正タイミング通知用スクランブル処理を行った後の処理については、実施形態１と同様であり、移動局装置３０に対して補正信号である報知信号として送信される（Ｓ１０１４）。なお、Ｓ１０２０において所定時間以内であると判断されなかった場合、及びＳ１０２２において時刻補正タイミング通知用スクランブル処理を行ったことを示す履歴情報が記憶部２２に記憶されていた場合には、Ｓ１０２４及びＳ１０２６の処理を行わず、Ｓ１０００で取得した報知信号をそのままＳ１０１０の処理に送る。
【００６７】
以上のように送信された補正信号を受信した移動局装置３０における時刻補正処理について、制御部３１の処理フロー図を参照しながら説明する。図１４は、実施形態２における制御部３１の処理を示すフロー図である。同図に示すように、報知信号受信（Ｓ２０００）、復調（Ｓ２００２）、デスクランブル処理（Ｓ２００４）、ＣＲＣチェック（Ｓ２００６）、時刻補正タイミング通知用デスクランブルパターン選択（Ｓ２００８）、時刻補正タイミング通知用デスクランブル処理（Ｓ２０１０）を行い、ＣＲＣによる誤り検出を行い（Ｓ２０１２）、誤りが検出されない場合にデスクランブルパターンに対応する時刻補正タイミングを取得する（Ｓ２０１８）点までは実施形態１と同様である。そして、Ｓ２０１８において取得される時刻補正タイミングがずれ時刻情報であるか、所定時刻情報であるかを判断する（Ｓ２０１９）。Ｓ２０１８において取得される時刻補正タイミングが所定時刻情報であると判断されると、該所定時刻情報が示す所定時刻に時計３５を合わせるリセット処理を行うことより時刻補正処理を行う（Ｓ２０２１）。一方、Ｓ２０１８において取得される時刻補正タイミングがずれ時刻情報であると判断される場合には、記憶部３５に記憶される所定時刻情報により示される所定時刻のうち、時計３５により示される所定時刻に最も近い所定時刻を選択することにより取得する（Ｓ２０２０）。そして、取得された所定時刻から、ずれ時刻情報により示されるずれ時間だけずらした時刻に時計３５を合わせるよう、時計３５の時刻補正処理を行う（Ｓ２０２１）。
【００６８】
以上のようにすることにより、記憶部３２に記憶される所定時刻ちょうどに時刻補正タイミング通知処理ができなかった場合にも、所定時刻からずれ時間だけずらした時刻に時刻補正タイミングを通知することができる。
【００６９】
［実施形態３］
実施形態３でも、実施形態１と同じ移動体通信システム１０を使用する。本実施形態３は移動局装置３０の処理に特徴があり、基地局装置２０の処理又は記憶部２２及び記憶部３２に記憶されるテーブルは、実施形態１又は実施形態２のいずれによってもよい。
【００７０】
実施形態１又は実施形態２では、移動局装置３０は、通信秘匿のために通常から行われているデスクランブル処理の直後に行われるＣＲＣ１０３による誤り検出（Ｓ２００６）において、誤りが検出された全ての報知信号について時刻補正タイミング通知用デスクランブルパターンを使用するデスクランブル処理を行っている。しかしながらこのようにすると、移動局装置３０における処理が多くなってしまう。このため、実施形態３における制御部３１は、図１５に示すように、時計３５により示される時刻が、時刻補正タイミングとして記憶される所定時刻の前後所定時間以内であるか否かを判断し、時刻補正タイミングとして記憶される所定時刻の前後所定時間以内である時間帯に限り、時刻補正タイミング通知用デスクランブルパターンを使用するデスクランブル処理を開始する（Ｓ２００７）ことにより、受信される報知信号について変換処理が行われているか否かを判断する。時計３５により示される時刻が時刻補正タイミングとして記憶される所定時刻の前後所定時間以内でない場合には、受信される報知信号を破棄することとし（Ｓ２０１６）、受信される報知信号について変換処理が行われているか否かを判断しない。
【００７１】
近年の移動局装置３０に使用される時計３５の精度によれば、実際には時刻がずれることはほとんどない。このため、時刻補正タイミング通知がなされると予測される時間帯に限り、報知信号が補正信号であるか否かを確認することにより、効率的に時刻補正処理を行うことができるようになる。
【００７２】
なお、本発明は上記実施の形態に限定されるものではない。
【００７３】
例えば、上記実施形態１では、時刻補正タイミングとして例えば「毎分０秒」「毎時０分０秒」、「毎日０時０分０秒」、「毎年１月１日０時０分０秒」である所定時刻をそれぞれ示す複数の所定時刻情報が基地局装置２０及び移動局装置３０にて記憶される。そして移動局装置３０は、受信した報知信号（制御信号）１００がこれら所定時刻に対応した時刻補正タイミング通知用スクランブルパターンにてスクランブル処理された信号であると判断すると、これら所定時刻に応じて内蔵時計３５の時刻をリセットする。具体的には、「毎分０秒」に対応した補正信号である場合には時刻の秒値を"０"に補正し、「毎時０分０秒」に対応した補正信号である場合には時刻の分値及び秒値を共に"０"にリセットすることにより補正している。このように時刻をリセットして時刻補正することに加え、基地局装置２０及び移動局装置３０にて記憶された所定時刻情報に応じて時刻を補正することとしてもよい。例えば、移動局装置３０が、図１６のスクランブルパターン記憶テーブルに記憶されるパターン番号８に対応した補正信号を受信した場合には、時計３５の時刻を"１２時３４分５６秒"に補正することとしてもよい。
【００７４】
なお、上記実施形態において時刻を補正する場合には、所定時刻情報により示される時刻のうち、現在の時刻に最も近い時刻となるように補正されることが好適である。例えば「毎時０分０秒」の所定時刻情報に基づき補正する場合、現在の時刻が"１時５８分５０秒"であると、"１時０分０秒"でなく、"２時０分０秒"となるように時刻が補正されることが好適である。
【００７５】
また、図１６のスクランブルパターン記憶テーブルに示されるパターン番号４，６のように、複数の所定時刻のうちの特定時刻（毎日０時０分０秒）について所定時間（ここでは１秒）を加減した所定時刻に対応するスクランブルパターンも記憶することとしてもよい。この特定時刻に所定時間を加減した所定時刻に対応したスクランブルパターンでスクランブル処理された補正信号を受信した場合には、この特定時刻に所定時間を加減した所定時刻となるように時刻補正を行うようにしてもよい。このようにして１秒おきにスクランブルパターンを変えつつ補正信号を送信することとすれば、移動局装置３０にて特定時刻に対応した補正信号を受信できなくても、この特定時刻に所定時間を加減した所定時刻に対応した補正信号を受信して時刻補正することが可能となるため、確実に時刻補正を行うことができる。
【００７６】
また、上記実施形態のように、一部が重複する所定時刻情報（「毎分０秒」、「毎時０分０秒」、「毎日０時０分０秒」、「毎年１月１日０時０分０秒」）に対応するスクランブルパターンがそれぞれ記憶されている場合、基地局装置２０は、時刻がより詳細に合致する所定時刻情報を有するスクランブルパターンを選択してスクランブル処理するようにすることが好適である。例えば時刻が"７時０分０秒"である場合、時刻補正タイミング通知用スクランブルパターンとして、「毎分０秒」の所定時刻を有するパターン１と、「毎時０分０秒」の所定時刻を有するパターン２とが選択可能であるが、時刻がより詳細に合致する所定時刻情報を有するパターン２を選択するようにすることが好適である。また、移動局装置３０が時刻補正スクランブルパターンを選択してデスクランブル処理を行う場合には、より詳細な所定時刻情報を有するデスクランブルパターンから選択していけば効率よくデスクランブル処理が行え、好適に時刻補正を行うことができる。
【００７７】
また、移動局装置３０において報知信号（制御信号）を常時受信せずに間欠的に受信する間欠受信モードが機能している場合には、所定時刻の所定時間前や、補正信号の送信前であることを示す基地局装置２０からの信号を受信した場合に、当該間欠受信モードを解除して、報知信号を常時受信するように構成してもよい。この場合、報知信号を連続的に受信することができるので、確実に補正信号を受信し、時刻補正を行うことができる。
【００７８】
また、上記実施形態では、制御チャネルにおいて送受信される制御信号に所定の変換処理（スクランブル処理）を行っていたが、通信チャネルにおいて送受信されるユーザデータ信号に所定の変換処理（スクランブル処理）を行って、時刻補正のタイミングを通知することとしてもよい。ただし、通信チャネルにおいて送受信される通信信号を使用する場合には通信コストが発生するため、上記実施形態の如く、制御チャネルにおいて送受信される制御信号に所定の変換処理を行うほうが望ましい。
【００７９】
また、上記実施形態では、通信秘匿のためのスクランブル処理（Ｓ１０１０）及びデスクランブル処理（Ｓ２００４）を行う構成としたが、この通信秘匿のためのスクランブル処理及びデスクランブル処理を行わない構成としてもよい。
【００８０】
さらに、上記実施の形態では移動体通信システムを例にとり説明したが、移動体通信システムでなくとも、如何なる通信システムにおいても本発明を適用することができる。具体例を挙げると、移動局装置に代えてクライアント装置、基地局装置に代えてサーバ装置を用い、無線通信に代えてＩＰ通信を使用すれば、サーバ装置からクライアント装置に対し、時刻補正タイミングを通知することができるようになる。
【図面の簡単な説明】
【００８１】
【図１】本発明の実施の形態に係る移動体通信システムの構成図である。
【図２】本発明の実施の形態に係る基地局装置の機能ブロック図である。
【図３】本発明の実施の形態に係る移動局装置の機能ブロック図である。
【図４】本発明の実施の形態に係る時刻補正タイミング通知処理及び時刻補正処理の説明図である。
【図５】本発明の実施の形態に係る報知信号のスロット構成図である。
【図６】本発明の実施の形態に係るスクランブル処理及びデスクランブル処理のフロー図である。
【図７】本発明の実施の形態に係る疑似ランダムパターン発生回路を示す図である。
【図８】本発明の実施の形態に係るスクランブルパターン記憶テーブルを示す図である。
【図９】本発明の実施の形態に係るデスクランブルパターン記憶テーブルを示す図である。
【図１０】本発明の実施の形態に係る時刻補正タイミング通知処理のフロー図である。
【図１１】本発明の実施の形態に係る時刻補正処理のフロー図である。
【図１２】本発明の実施の形態に係る（デ）スクランブルパターン記憶テーブルである。
【図１３】本発明の実施の形態に係る時刻補正タイミング通知処理のフロー図である。
【図１４】本発明の実施の形態に係る時刻補正処理のフロー図である。
【図１５】本発明の実施の形態に係る時刻補正処理のフロー図である。
【図１６】本発明の実施の形態に係る（デ）スクランブルパターン記憶テーブルである。
【符号の説明】
【００８２】
１０  移動体通信システム、２０  基地局装置、２１，３１，１０１  制御部、２２，３２  記憶部、２３  ネットワークインターフェイス部、２４，３３  無線通信部、２５，３５  時計、３０  移動局装置、３４  入出力部、４０  通信ネットワーク、５０  ＥＸＯＲ回路、１００  報知信号、１０２  情報部、１０３  ＣＲＣ。
【図１】
2006157527.tif 000003
【図２】
2006157527.tif 000004
【図３】
2006157527.tif 000005
【図４】
2006157527.tif 000006
【図５】
2006157527.tif 000007
【図６】
2006157527.tif 000008
【図７】
2006157527.tif 000009
【図８】
2006157527.tif 000010
【図９】
2006157527.tif 000011
【図１０】
2006157527.tif 000012
【図１１】
2006157527.tif 000013
【図１２】
2006157527.tif 000014
【図１３】
2006157527.tif 000015
【図１４】
2006157527.tif 000016
【図１５】
2006157527.tif 000017
【図１６】
2006157527.tif 000018